(57)【要約】      （修正有）【課題】ＵＳＢ壁式コンセントを提供する。【解決手段】壁ソケット１と、回路板２と、透光ソケット３と、充電ソケット４と、パネル５と、を含んで構成され、主に回路板に設けるＬＥＤ灯２１を利用し、且つ回路板２が壁ソケット１内に設置され、灯光ソケット２は、壁ソケット１上に設置され、充電ソケット４が透光ソケット３内に設置され、回路板２と電気接続し、且つ該充電ソケット４上にＵＳＢスロット４１を設け、パネル５が壁ソケット１にカバー設置され、このように、ＵＳＢ電気機器製品がＵＳＢコネクタに電気接続し、ＬＥＤ灯２１が透光ソケット３及びそれとパネル５の間から充電状態開口を散射し、これにより本考案の目的及び効果を達成する。【選択図】図１
0003176054.tif 000002
【実用新案登録請求の範囲】
【請求項１】
収容溝を内設する壁ソケットと、
収容溝内に組み込まれ、且つＬＥＤ灯を設ける少なくとも１つの回路板と、
該壁ソケット収容溝の溝口上に組み込まれ、且つ該透光ソケットに透光環を設ける透光ソケットと、
透光環内に組み込まれ、該少なくとも１つの回路板と電気接続し、且つ該充電ソケット上にＵＳＢスロットを設ける充電ソケットと、
該壁ソケットにカバー設置され、且つ透光環に対応して貫通設置される通孔を設けるパネルと、
を含み、このようにして、ＵＳＢ電気機器製品は、ＵＳＢコネクタに電気接続し、ＬＥＤ灯は、透光環及び透光環と通孔との間から充電状態開口を散射するＵＳＢ壁式コンセント。
【請求項２】
前記パネルは、該少なくとも１つの回路板と電気接続する電源スイッチを設け、該電源スイッチを操作し、充電ソケット及びＬＥＤ灯の動作を制御する請求項１に記載のＵＳＢ壁式コンセント。
【請求項３】
前記パネルは、都市電源と電気接続する都市電源コンセントを設ける請求項１に記載のＵＳＢ壁式コンセント。
【請求項４】
前記ＬＥＤ灯は、少なくとも１つの発光ダイオードを含み、且つ該少なくとも１つの発光ダイオードは、複数の発色を具え、回路板によりＵＳＢ電気機器製品の充電量を測定し、該少なくとも１つの発光ダイオードを駆動し、色彩を代表する充電状態開口を照射する請求項１に記載のＵＳＢ壁式コンセント。
【請求項５】
前記ＵＳＢスロットは、透光環内に位置する請求項１に記載のＵＳＢ壁式コンセント。
【考案の詳細な説明】
【技術分野】
【０００１】
本考案は、充電ソケットに関し、特に、使用者のＵＳＢ電子製品を挿入接続充電させることができ、且つ該壁式充電挿入ソケットが充電状態充電状態表示開口を有し、使用者にＵＳＢ電子製品の充電状態の効果を判別させるＵＳＢ壁式充電ソケットに関する。
【背景技術】
【０００２】
ＭＰ３、ＰＤＡ、携帯電話、デジタルビデオカメラ、メモリスティック等の電子製品は、生活中に満ち溢れている。各電子製品は、通常、何れも充電可能な充電式電池を内蔵し、電子製品の電力供給元としている。従って、各電子製品は、何れも、それぞれの充電器を有し、都市電源コネクタに接続し、都市電源を電子装置が必要な充電電源に変換し、その内部の充電電池に対し、充電を行っている。
【０００３】
電子装置の充電方式は、通常、充電器のコネクタを交流電源に接続する必要があり、充電器内の回路整流及び降圧を経た後に初めて充電電池に対し充電を行うことができる。従って、使用者が新しい電子装置を購入し、置き換えるか、複数型の異なる類別の電子装置を同時に所有する時、各種充電器による混乱が生じる。使用者が同時に異なる型式の充電器を有する時、保存空間を増加し、且つ混乱し易くなる。充電器の損壊又は遺失時、各充電器が代替え使用することができないので、使用者は、新たに購入する必要があり、購入コストの増加、資源浪費を招く。
【０００４】
しかしながら、現在の科学技術の発達により、各種電子装置は、何れもパソコンと接続使用するＵＳＢ（Universal Serial Bus）インタフェースを有し、ＵＳＢインタフェースは、各式電子装置に広く使用され、多くの電子装置がＵＳＢインタフェースを介し、内部リチウム電池の充電プロセスを行い、該ＵＳＢインタフェースを介し、データの伝達を行うこともでき、或いは、パソコン上のＵＳＢスロットを利用し、該消費者の電子製品に対し充電使用し、多用途の効果を達成する。但し、単純に、ＵＳＢスロットを充電に使用するＵＳＢ電気機器製品は、パソコンのスロットの充電待機をオンにする必要があり、パソコン待機のエネルギー浪費を招き、長期的使用において、不要な支出浪費となる。
【０００５】
これに鑑みて、本願の考案者は、関連産業に長年従事した技術経験により、開発及び設計を行い、ようやく「ＵＳＢ壁式充電コンセント」を考案し、それは、使用者のＵＳＢ電子製品に充電させることができるだけでなく、同時に充電状態表示開口を有し、使用者にＵＳＢ電子製品の充電状態を判別させる。
【先行技術文献】
【特許文献】
【０００６】
【特許文献１】特開２０１１−１５２０３９号公報
【考案の概要】
【考案が解決しようとする課題】
【０００７】
本考案の主要な目的は、使用者のＵＳＢ電子製品に充電を行わせるだけでなく、充電状態表示開口を有し、使用者にＵＳＢ電子製品の充電状態を判別させる「ＵＳＢ壁式充電コンセント」を提供することにある。
【課題を解決するための手段】
【０００８】
上記の目的及び効果を達成する為、本考案の「ＵＳＢ壁式コンセント」は、
収容溝を内設する壁ソケットと、
収容溝内に組み込まれ、且つＬＥＤ灯を設ける少なくとも１つの回路板と、
該壁ソケット収容溝の溝口上に組み込まれ、且つ該透光ソケットに透光環を設ける透光ソケットと、
透光環内に組み込まれ、該少なくとも１つの回路板と電気接続し、且つ該充電ソケット上にＵＳＢスロットを設ける充電ソケットと、
該壁ソケットにカバー設置され、且つ透光環に対応して貫通設置される通孔を設けるパネルと、
を含み、このようにして、ＵＳＢ電気機器製品は、ＵＳＢコネクタに電気接続し、ＬＥＤ灯は、透光環及び透光環と通孔との間から充電状態開口を散射する。
【０００９】
本考案の「ＵＳＢ壁式充電ソケット」は、更に下記技術特徴を有する：
１．該パネルが該少なくとも１つの回路板と電気接続する電源スイッチを設け、該電源スイッチを操作し、充電コンセントお飛びＬＥＤ灯の動作を制御する。
２．該パネルに都市電源と電気接続する都市電線コンセントを設ける。
３．該ＬＥＤ灯は、少なくとも発光ダイオードを含み、且つ該少なくとも１つの発光ダイオードが複数の発色を有し、回路板によりＵＳＢ電気機器製品の充電量を測定し、該少なくとも１つの発光ダイオードを駆動し、色彩を代表する充電状態開口を照射する。
４．該ＬＥＤ灯は、複数の発光ダイオードを含み、且つ該複数の発光ダイオードは、それぞれ複数の発色を有し、回路板からＵＳＢ電器製品の充電量を測定し、該複数の発光ダイオードを駆動し、色彩を代表する充電状態開口を照射する。
５．該ＵＳＢスロットが透光環内に位置する。
【００１０】
従って、本考案は、実用性及び進歩性を相当有する考案であるということができ、産業界に広く推進し、社会大衆に公開するに値するものである。
【考案の効果】
【００１１】
本考案の「ＵＳＢ壁式充電コンセント」は、使用者のＵＳＢ電子製品に充電を行わせるだけでなく、充電状態表示開口を有し、使用者にＵＳＢ電子製品の充電状態を判別させる。
【図面の簡単な説明】
【００１２】
【図１】本考案の立体分解説明図である。
【図２】本考案の壁ソケット、回路板、充電ソケット及び透光環の分解立体説明図である。
【図３】本考案の壁ソケット及びアダプタ組の分解立体説明図である。
【図４】本考案の組み合わせ状態立体説明図である。
【図５】本考案のＵＳＢ電気機器製品の充電の説明図である。
【考案を実施するための形態】
【００１３】
本考案が達成することができる上記の目的及び効果について、実施例を挙げて説明し、図１〜図４に示すように、図中に示す本考案のＵＳＢ壁式充電コンセントは、壁コンセント１、少なくとも１つの回路板２と、透光ソケット３と、充電ソケット４と、パネル５と、を含み、そのうち、
該壁ソケット１は、収容溝１１を内設し、該壁ソケット１は、壁面に予め留められる都市電源配電箱内に嵌合固定され、該壁ソケット１後方は、アダプタ部１２を設け、且つアダプタ部１２に都市電源の電線及び回路板２と電気接続するアダプタ組６を組み込み、該アダプタ組６は、支持構造６１、２つの端ピン６２及び３つの螺子６３等の部材を含んで構成され、アダプタ組６が都市電源、回路板２と電気接続することは、従来技術部分であるので、ここでは、簡易に記載するのみとする。
【００１４】
該少なくとも１つの回路板２は、壁ソケット１の収容溝１１内に組み込まれ、ここでは、２つの回路板２を例とし、且つそのうち１つの回路板２は、２つのＬＥＤ灯２１及び温度センサ２２、タイマー２３を含み、且つ各ＬＥＤ灯２１は、少なくとも１つの発光ダイオードを有し、且つ複数の発色を具えるか、該ＬＥＤ灯２１は、複数の発光ダイオードを含み、且つ該複数の発光ダイオードがそれぞれ複数の発色を有し（白色、赤色、黄色、青色、緑色、紫色、又はオレンジ色等の色の発光の設置であることができる）、もう１つの回路板２は、電源変換器２４を設け、該電源変換器２４により本考案を壁面に実装させ且つ都市電源と電気接続させる時、交流回路を直流回路に変換し、回路板２及び回路板２と電気接続する下記部材の電力供給元とする。
【００１５】
該透光ソケット３が該壁ソケット１の収容溝１１の溝口上に組み込まれ、且つ該透光ソケット３は、透光環３１を設ける。
【００１６】
該充電ソケット４は、透光環３１内に組み込まれ、該少なくとも１つの回路板２と電気接続し、且つ該充電ソケット４上にＵＳＢスロット４１を設け、該ＵＳＢスロット４１が透光環３１内に位置する。
【００１７】
該パネル５は、該壁ソケット１にカバー設置され、且つ該パネル５は、透光環３１に対応して貫通設置される通孔５１を設け、該パネルは、該少なくとも１つの回路板２と電気接続する電源スイッチ５２を設け、該電源スイッチ５２を制御し、充電ソケット４及びＬＥＤ灯２１の動作を制御し、該パネル５は、都市電源と電気接続する都市電源ソケット５３を設ける。
【００１８】
本考案の使用時について、図１〜図５を参照し、本考案は、該電源スイッチ５２の操作を介し、充電ソケット４及びＬＥＤ灯２１のオン又はオフを制御することができる。本実施例のＵＳＢ壁式充電コンセントは、充電待機時には、赤色点灯する充電状態開口を例とする。ＵＳＢ電気機器製品７が充電を完成する時、白色点灯する充電状態開口を例とする。接触不良、充電過剰（回路板２上のタイマー２３に測定記録する）、温度過高（温度センサ２２により測定記録）等の状況である時、それは、黄色点灯形態の充電状態開口を例とする。
【００１９】
このように、本考案は、使用者のＵＳＢ電子製品７に充電を行わせるだけでなく、充電状態表示開口を有し、使用者にＵＳＢ電子製品７の充電状態を判別させ、本考案の目的及び効果を達成する。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  壁ソケット
１１  収容溝
１２  アダプタ部
２  回路板
２１  ＬＥＤ灯
２２  温度センサ
２３  タイマー
２４  電源変換器
３  透光ソケット
３１  透光環
４  充電ソケット
４１  ＵＳＢ挿入溝
５  パネル
５１  透孔
５２  電源スイッチ
５３  都市電源コンセント
６  アダプタ組
６１  支持構造
６２  端ピン
６３  螺子
７  ＵＳＢ電子製品
７１  ＵＳＢコネクタ
【図１】
0003176054.tif 000003
【図２】
0003176054.tif 000004
【図３】
0003176054.tif 000005
【図４】
0003176054.tif 000006
【図５】
0003176054.tif 000007